(57)【要約】      （修正有）【課題】小さな印刷物の名刺や収集したカードを整然と並べて、印刷物の両面を目視することができるようにする。【解決手段】略同形のフレキシブルな透明な上側シート１と不透明な下側シート２とを重ね合わせると共に、この重なり合った上側及び下側シートの一辺縁を固着３してデスクマットＡを形成し、また透明或いは半透明なベースシート４の表面に適宜の配列でそれぞれの一辺に挿入口５を有する透明或いは半透明なポケットシート６を設けて収集マットＢを形成し、上記デスクマットの上側シートと下側シートとの間に上記収集マットを取り出し可能に介在した構成とする。【選択図】図３
0003117462.tif 000002
【実用新案登録請求の範囲】
【請求項１】
略同形のフレキシブルな透明な上側シートと不透明な下側シートとを重ね合わせると共に、この重なり合った上側及び下側シートの一辺縁を固着してデスクマットを形成し、また透明或いは半透明なベースシートの表面に適宜の配列でそれぞれの一辺に挿入口を有する透明或いは半透明なポケットシートを設けて収集マットを形成し、上記デスクマットの上側シートと下側シートとの間に上記収集マットを取り出し可能に介在したことを特徴とするデスクマット。
【請求項２】
前記収集マットの表面積が、デスクマットの表面積の約半分の大きさにしてあることを特徴とする請求項１に記載のデスクマット。
【考案の詳細な説明】
【技術分野】
【０００１】
この考案は、机の表面に敷いて用いるデスクマットに関する。
【背景技術】
【０００２】
デスクマットは、周知のように二枚の合成樹脂シートを重ね合わせ、その一辺縁を熱融着している。
【０００３】
そして、重ね合わせた下側に不透明なシートを上側に透明なシートを用いて、上下のシート間に挟み込んだ印刷物などの介在物を表面から目視できるようになっている。
【０００４】
しかしながら、介在物の両面に印刷がある場合、デスクマットを裏返しても下側マットが不透明なため目視することができず、目視は透明な上側シート側のみとなる。
【０００５】
そこで、上下二枚の上側及び下側の両シートに透明なシートを用いて上述の問題を解決している（特許文献１）。
【特許文献１】実用新案登録第３０７３６０６号公報
【考案の開示】
【考案が解決しようとする課題】
【０００６】
ところで、特許文献１のデスクマットによると、介在した印刷物の表面を上側の透明なシート側から、またデスクマットの裏返しにより上側になった下側透明なシート側から目視することができる。
【０００７】
しかしながら、介在した印刷物が小さい場合（名刺や子供が収集したカードなど）、デスクマットの裏返しにともない両透明なシート間ですべり移動して見苦しくなり、又印刷物が重なり合うので、その都度手間のかかる並べなおしが必要になる問題が発生した。
【０００８】
さらに、デスクマットから取り出した印刷物、特に名刺や収集したカードなどにあっては、整然と保管することができず、別途手数のかかる保管作業が必要になるなどの問題もあった。
【０００９】
そこで、この考案は、小さな印刷物の名刺や収集したカードを整然と並べて、印刷物の両面を目視することができるようにしたことにある。
【課題を解決するための手段】
【００１０】
上記の課題を解決するために、この考案は、略同形のフレキシブルな透明な上側シートと不透明な下側シートとを重ね合わせると共に、この重なり合った上側及び下側シートの一辺縁を固着してデスクマットを形成し、また透明或いは半透明なベースシートの表面に適宜の配列でそれぞれの一辺に挿入口を有する透明或いは半透明なポケットシートを設けて収集マットを形成し、上記デスクマットの上側シートと下側シートとの間に上記収集マットを取り出し可能に介在した構成を採用する。
【００１１】
また、収集マットの表面積が、デスクマットの表面積の約半分の大きさにする。
【考案の効果】
【００１２】
以上のように、この考案のデスクマットによれば、収集したカードなどの印刷物を収集マットのポケットシートの内側に収納して、デスクマットの上側シートと下側シートとの間に収集マットを介在するので、収納してある印刷物を透明な上側シートからポケットシートをへて目視することができると共に、収集マットを引き抜いて透明或いは半透明なベースシート側から収納印刷物の裏面側も目視することができる。
【００１３】
そして、ポケットシートの内側に印刷物を収納してあるので、整然と整理することができると共に、引き抜いた収集マットを壁などに押しピンにより取り付けることもできる。
【００１４】
また、収集マットの平面積がデスクマットの平面積よりも小さくしてあるので、デスクマットに収集マットを介在した際、デスクマットの約半分に収集マットがない。
【００１５】
このため、デスクマットの凹凸のないフラットな部分で何ら支障なく筆記することができる。
【考案を実施するための最良の形態】
【００１６】
以下、この考案の実施の形態を添付図面に基づいて説明する。
【００１７】
この考案の実施形態では、図１から図４に示すように、フレキシブルな同形状の透明な合成樹脂製上側シート１とフレキシブルな不透明な合成樹脂製などの下側シート２とを重ね合わせると共に、この重なり合った上側シート１及び下側シート２の一辺縁を熱溶着や接着剤（材）などで固着部３してデスクマットＡを形成する。
【００１８】
また、フレキシブルな透明或いは半透明な合成樹脂などのベースシート４の表面にフレキシブルな透明或いは半透明な合成樹脂シートなどで挿入口５を有するポケットシート６を適宜配列で並べて収集マットＢを形成する。
【００１９】
上記ポケットシート６は、例えばベースシート４に挿入口５を残す辺縁を熱溶着７して設ける。
【００２０】
すると、収集マットＢの各ポケットシート６の内側に収集したカードなどの小さな印刷物Ｘを挿入口５から入れる。
【００２１】
そして、デスクマットＡの上側シート１と下側シート２との間に収集マットＢを介在する。
【００２２】
上記のように構成すると、デスクマットＡから収集マットＢを引き抜くことで、収集マットＢの表裏面から収納してある印刷物Ｘの表・裏を目視することができ、又壁面などに収集マットＢを止めることもできる。
【００２３】
当然、デスクマットＡの上側シート１及びポケットシート６をへて印刷物Ｘの表面も目視することができる。
【００２４】
なお、収集マットＢの表面積は、デスクマットＡの表面積と同等或いは以下となるように適宜決定する。
【００２５】
また、収集マットＢの表面積をデスクマットＡ表面積の約半分として、収納マットＢの介在下でのデスクマットＡに約半分のフラットな面ができるようにする。
【００２６】
すると、デスクマットＡのフラットな部分での筆記に何ら支障をきたさない。
【図面の簡単な説明】
【００２７】
【図１】この考案のデスクマットの斜視図
【図２】収集マットの斜視図
【図３】収集マットの使用を示す一部切欠斜視図
【図４】収集マットの縦断拡大側面図
【符号の説明】
【００２８】
Ａ      デスクマット
Ｂ      収集マット
１      上側シート
２      下側シート
３      固着部
４      ベースシート
５      挿入口
６      ポケットシート
【図１】
0003117462.tif 000003
【図２】
0003117462.tif 000004
【図３】
0003117462.tif 000005
【図４】
0003117462.tif 000006